(57)【特許請求の範囲】
【請求項１】
天井内に設置される本体ユニット内にターボファンとベルマウスとが配置され、前記ベルマウスは上記ターボファンに向かって漸次縮径するラッパ状に形成された吸込案内部と、前記吸込案内部に連続して形成され漸次拡径する拡径部を有し、前記ベルマウスの内面で前記吸込案内部と前記拡径部の境にパーティングラインを有する天井埋込型空気調和機において、
前記パーティングライン上には、前記拡径部が前記吸込案内部よりも外側に凹む段部が設けられ、前記段部は前記パーティングラインに沿ってベルマウスの内周面を一周するように設けられたことを特徴とする天井埋込型空気調和機。
【請求項２】
前記段部の奥行Ｄ は０ ｍ ｍ ＜ Ｄ ≦ ０ ． ２ ｍ ｍ となることを特徴とする請求項１に記載の天井埋込型空気調和機。
【発明の詳細な説明】
【技術分野】
【０００１】
本発明は、天井埋込型空気調和機に関し、さらに詳しく言えばベルマウスの形状に関する。
【背景技術】
【０００２】
天井埋込型空気調和機は、天井内に設置される直方体形状をなす本体ユニットを有し、本体ユニットの底面には、空気吸込口と空気吹出口とを有し、化粧パネルが取り付けられる。
【０００３】
通常、空気吸込口は、化粧パネルの中央に配置され、その周りに長方形状をなす空気吹出口が配置されている。また、化粧パネルの空気吸込口には、除塵フィルタを有する吸込グリルが設けられている。
【０００４】
本体ユニット内には、その中央部分に送風機としてのターボファンが配置され、ターボファンの周りを囲むように熱交換器が配置されている。空気吸込口とターボファンとの間にはベルマウスが設けられている。
【０００５】
ベルマウスは、空気吸込口の形状に合致する外形を有する取付基部と、取付基部の中央からターボファンに向かって漸次縮径するラッパ状に形成された吸込案内部と、吸込案内部に連続して形成されターボファンのシュラウドの内側に位置してシュラウドに沿って漸次拡径する拡径部を備えている。空気吸込口から本体ユニット内に取り込まれた空気はベルマウスの内側の吸込案内部から拡径部に続く空気吸込通路を通りターボファンに案内される。
【０００６】
ところで樹脂製のベルマウス１００の場合、図５に示すように漸次縮径した吸込案内部１０１と漸次拡径した拡径部１０２の境目は金型の合わせ目（パーティングライン）１０３となる。成形時に金型がずれて拡径部１０２が吸込案内部１０１よりも空気吸込通路１０４に突出した段差１０５が発生した場合は、段差１０５が通風抵抗となりターボファンが空気を吸いこみにくくなり、ターボファンに掛る負荷が大きくなる。
【先行技術文献】
【特許文献】
【０００７】
【特許文献１】特開２０００−２１３８００号公報（図１）
【発明の概要】
【発明が解決しようとする課題】
【０００８】
そこで、本発明の課題は、ベルマウスの内面にできるパーティングラインが吸込空気の抵抗とならないようにすることで、通風効率の低下を防ぐ天井埋込型空気調和機を提供することにある。
【課題を解決するための手段】
【０００９】
上述した課題を解決するため、本発明は、天井内に設置される本体ユニット内にターボ
ファンとベルマウスとが配置され、前記ベルマウスは上記ターボファンに向かって漸次縮
径するラッパ状に形成された吸込案内部と、前記吸込案内部に連続して形成され漸次拡径
する拡径部を有し、前記ベルマウスの内面で前記吸込案内部と前記拡径部の境にパーティングラインを有する天井埋込型空気調和機において、前記パーティングライン上には、前記拡径部が前記吸込案内部よりも外側に凹む段部が設けられ、前記段部は前記パーティングラインに沿ってベルマウスの内周面を一周するように設けられたことを特徴としている。
【００１０】
また、前記段部の奥行Ｄは０ｍｍ＜Ｄ≦０．２ｍｍとなることも含まれる。
【発明の効果】
【００１１】
本発明によれば、ベルマウスの内面にできるパーティングラインが吸込空気の抵抗とならないようにパーティングライン上に段部を設けることで通風効率の低下を防ぐことができる。
【図面の簡単な説明】
【００１２】
【図１】本発明の天井埋込型空気調和機の斜視図。
【図２】本発明の天井埋込型空気調和機の縦断面図。
【図３】本発明のベルマウスの斜視図。
【図４】図２のＸ部拡大図。
【図５】従来のベルマウスの部分拡大図。
【発明を実施するための形態】
【００１３】
次に、本発明の実施形態について、図面を参照しながら説明するが、本発明はこれに限定されるものではない。
【００１４】
図１と図２に示すように、天井埋込型空気調和機１（以下空気調和機とする）は本体ユニット１０を備えている。本体ユニット１０は正方形の四辺を長辺とし、正方形の四つの角を面取りしてできた四辺を短辺とする略八角形となる板金で形成された天板１３と、天板１３の外周から下方に延在する側板１１とで外郭が形成される。側板１１には、天板１３の短辺に沿って位置する側板１１ａの４箇所に吊下金具１２が固着されている。本体ユニット１０は、この吊下金具１２を図示しない天井裏壁面に埋め込まれた複数の吊りボルトにて吊り下げることで天井Ｔ内に設置される。
【００１５】
なお、図２における本体ユニット１０に沿わした座標軸において、Ｙ方向を上面または上方、−Ｙ方向を下面または下方として以下説明する。各部品においても同様である。
【００１６】
本体ユニット１０の中央には、後述するターボファン６に空調室Ｋの空気を導く空気吸込通路１６が形成されており、後述する熱交換器２５から吹出口３１の間に空気吹出通路１７が形成されている。
【００１７】
本体ユニット１０の底面１０１には、化粧パネル３０が吊下金具１２にネジで取り付けられている。化粧パネル３０は、中央に本体ユニット１０の空気吸込通路１６に連通する複数の吸込孔３２１を設けた四角形状の吸込グリル３２が設けられている。吸込グリル３２の吸込孔３２１の空気吸込通路１６側には除塵フィルタ３２２を備える。吸込グリル３２の周りには、長方形状をなす吹出口３１が、吸込グリル３２の各辺に沿って４箇所に配置されている。吹出口３１は空気吹出通路１７に連通している。
【００１８】
各吹出口３１には、それぞれ風向板３３が設けられている。この風向板３３は、図示しない回動手段によって空気調和機１の運転時に所定角度に開かれる。
【００１９】
本体ユニット１０の天板１３と側板１１の内周面には断熱材による内箱１４が設けられる。また、天板１３の中央内側にはネジによりファンモータ２１が固定され、ファンモータ２１から下方に伸びるシャフト２２にターボファン６のハブ６１が軸支される。ターボファン６はハブ６１とシュラウド６３とハブ６１とシュラウド６３に挟まれた複数のブレード６２とからなる。シュラウド６３の中央には開口部６４が設けられている。
【００２０】
ターボファン６の周囲には熱交換器２５がターボファン６を取り囲むように四角枠状に配置される。熱交換器２５は、冷房運転と暖房運転とが可能な可逆式の冷凍サイクル回路を有する図示しない室外機に接続されており、冷房運転時には蒸発器として機能して室内空気を冷却し、暖房運転時には凝縮器として機能して室内空気を加熱する。
【００２１】
熱交換器２５の下端側には、熱交換器２５で生成される結露水を受け止めるドレンパン１９が設けられている。ドレンパン１９は、熱交換器２５の下端側が収納される樋部１９１を有し、熱交換器２５から滴下する結露水が樋部１９１で受け止められ、例えば図示しないドレンポンプによって汲み上げられて室外に排水される。
【００２２】
ドレンパン１９の中央部分は開口され吸込口１５となる。吸込口１５には吸込口１５とターボファン６とを繋ぐベルマウス７が配置される。また、ベルマウス７の吸込口１５側には、吸込口１５を通る空気の妨げにならないようにＬ字状に形成された電装品箱１８が配置される。電装品箱１８内には空気調和機１を制御する電装部品（図示なし）が収納される。
【００２３】
ファンモータ２１で回転駆動されるターボファン６により、化粧パネル３０の吸込孔３２１から吸いこまれた空気は、吸込口１５から本体ユニット１０内に吸い込まれ、空気吸込通路１６となるベルマウス７の内面に沿ってターボファン６に導かれ、ターボファン６のハブ６１とシュラウド６３の間から外周方向に向かって吹き出される。
【００２４】
図３を合わせて参照して、ベルマウス７は樹脂製（高衝撃性ポリスチレン）でなり、吸込口１５の形状に合わせて四角形状に形成された取付基部７１と、取付基部７１の中央部分からターボファン５に向かって漸次縮径するラッパ状に形成された吸込案内部７２と吸込案内部７２に連続して形成され漸次拡径する拡径部７３を有する。拡径部７３はターボファン６のシュラウド６３の開口部６４の内側に位置する。拡径部７３はシュラウド６３の形状に沿って漸次拡径する形状となることで、吸込案内部７２から導かれた空気が拡径部７３の面に沿って滑らかにシュラウド６３に導かれ通風効率が向上する。
【００２５】
ベルマウス７の取付基部７１の一部には、電装品箱１８を配置するための収納部７４が形成されている。収納部７４は、取付基部７１の一部分を本体ユニット１０の内方に向けて凹設され、電装品箱１８の形状に合わせてＬ字状に形成されたものである。
【００２６】
次に図４を参照して、ベルマウス７を成形する際は、自ずと漸次縮径する吸込案内部７２と漸次拡径する拡径部７３の境目に上下の金型の合わせ目（以下パーティングラインとする）ＰＬができる。
【００２７】
このパーティングＰＬで金型のずれにより吸込案内部７２が拡径部７３よりも空気吸込通路１６に突出することを防ぐため、予め金型のずれの誤差を考慮してパーティングラインＰＬ上に拡径部７３が吸込案内部７２よりも外側に凹む段部７５を設ける。段部７５はパーティングラインＰＬに沿ってベルマウス７の内面を一周するように設けられる。
【００２８】
また、段部７５の奥行（段差）Ｄは０ｍｍ＜Ｄ≦０．２ｍｍとなるように設定する。
【００２９】
ベルマウス７の内面のパーティングラインＰＬ上に敢えて段部７５を設けることで、空気吸込通路１６を流れる空気はパーティングラインＰＬが吸込空気の抵抗とならずにシュラウド６３に導かれることで通風効率の低下を防ぐことができるようになる。
【００３０】
また、ベルマウス７の肉厚７ａは略２．０ｍｍとしているが、段部７５の奥行Ｄを、０ｍｍ＜Ｄ≦０．２ｍｍとすることで、拡径部７３の肉厚７３ａが他の部分よりも特に薄肉となることもなく強度に影響を与えることはない。
【００３１】
以上説明したように、本発明によれば、ベルマウス７の内面のパーティングラインＰＬ上に拡径部７３が吸込案内部７２よりも外側に凹む段部７５を設けたことで、空気吸込通路１６を流れる空気は吸込案内部７２から段部７５を抵抗なく通過し拡径部７３の面に沿って滑らかにシュラウド６３に導かれることで、通風効率の低下を防ぐことができる天井埋込型空気調和機を提供することができる。
【符号の説明】
【００３２】
１：天井埋込型空気調和機、１０：本体ユニット、１５：吸込口、１６：空気吸込通路
３０：化粧パネル、３２：吸込グリル、３２１：吸込孔
６：ターボファン、６３：シュラウド、６４：開口部
７：ベルマウス、７１：取付基部、７２：吸込案内部、７３：拡径部、７４：収納部、７５：段部
Ｋ：空調室、ＰＬ：パーティングライン、Ｄ：奥行
【図１】
0006690256.tif 000002
【図２】
0006690256.tif 000003
【図３】
0006690256.tif 000004
【図４】
0006690256.tif 000005
【図５】
0006690256.tif 000006